(57)【要約】      （修正有）【課題】橋梁の鉄鋼部材をボルトとナットで固定した後の処理として行われるナットの塗装処理の前に、塗装が効果的に行われるように、ナットの表面の錆取り作業及びナットの表面に傷を付ける作業を、より簡易に効果的に行うことができる塗装前処理用ナットブラシ器具を提供する。【解決手段】塗装前処理用ナットブラシ器具１００は、チャンネル内巻コイルブラシ１０とブラシ収納部２０を有している。チャンネル内巻コイルブラシは、ブラシ収納部に嵌め込まれ、螺子３０で固定され、電動工具が、電動工具接続部２０ｃに取り付けられた状態で、ナットが、チャンネル内巻コイルブラシのブラシ１０ｂの毛先の部分に嵌込まれ、この状態で、電動工具を用いてブラシ収納部とチャンネル内巻コイルブラシを回転させることで、ブラシがナットの錆を取り、傷をつけることができる。【選択図】図１
0003217203.tif 000002
【実用新案登録請求の範囲】
【請求項１】
橋梁に用いられる鉄鋼部材をボルトとナットを用いて固定した後に行う前記ナットに施す塗装処理の前に、前記ナットの表面の錆を取る機能、且つ、前記ナットの表面に傷を付ける機能を有する塗装前処理用ナットブラシ器具であって、
チャンネル内巻コイルブラシとブラシ収納部を有し、
前記チャンネル内巻コイルブラシは、基材と前記基材から毛先が内側に向いているリング状のブラシと、を有し、
前記ブラシ収納部は、
蓋部と、
前記蓋部と一体的に形成されている筒状の前記チャンネル内巻コイルブラシを収納する収納本体部と、
前記蓋部の表面に設けられた棒状の電動工具接続部と、
前記蓋部の裏側に設けられたボルトガイド部と、を有し、
前記チャンネル内巻コイルブラシは、前記ブラシ収納部に嵌め込まれ、前記ブラシ収納部に固定部材で固定されるように形成されていることを特徴とする塗装前処理用ナットブラシ器具。
【請求項２】
前記固定部材は、螺子であり、
前記ブラシ収納部に嵌め込まれ収納された前記チャンネル内巻コイルブラシは、前記螺子を用いて前記ブラシ収納部に前記固定されることを特徴とする請求項１に記載の塗装前処理用ナットブラシ器具。
【請求項３】
電動工具が、前記電動工具接続部に取り付けられた状態で、
前記ナットが、前記チャンネル内巻コイルブラシの前記毛先の部分に嵌め込まれ、
前記電動工具を用いて、前記ブラシ収納部と前記チャンネル内巻コイルブラシを回転させることで、前記ナットの錆を取り、且つ、前記ナットに傷をつけることを特徴とする請求項２に記載の塗装前処理用ナットブラシ器具。
【考案の詳細な説明】
【技術分野】
【０００１】
本考案は、塗装前処理用ナットブラシ器具に関する。
【背景技術】
【０００２】
ボルトとナットは、建築物の固定部材として普及しており、橋梁の固定部材としても使用されており、安全性、耐久性などに対応するために、対象部材をボルトとナットで固定した後の処理として、ナットを塗装することが行われている。
【考案の概要】
【考案が解決しようとする課題】
【０００３】
橋梁の固定部材として使用されているボルトとナットにおいて、上記のとおり安全性、耐久性などに対応するために、対象部材をボルトとナットで固定した後の処理として、ナットの塗装が行われている。このようなナットの塗装処理前に、塗装が効果的に行われるように、ナットの表面の錆取り作業且つナットの表面に傷を付ける作業が行われている。このナットの表面に傷を付ける作業は、時間がかかり過ぎるという問題があり、また、この作業を行う部材の頻繁な交換などの問題もあり改善が求められていた。
【０００４】
本考案は、こうした点に鑑みてなされたものであり、橋梁の固定部材として使用されているボルトとナットにおいて、橋梁の鉄鋼部材をボルトとナットで固定した後の処理として行われるナットの塗装処理の前に、塗装が効果的に行われるように、ナットの表面の錆取り作業及びナットの表面に傷を付ける作業を、より簡易に効果的に行うことができ、耐久性を有している塗装前処理用ナットブラシ器具を提供するものである。
【課題を解決するための手段】
【０００５】
上記課題を解決するために、本考案に係る塗装前処理用ナットブラシ器具は、橋梁に用いられる鉄鋼部材をボルトとナットを用いて固定した後に行う前記ナットに施す塗装処理の前に、前記ナットの表面の錆を取る機能、且つ、前記ナットの表面に傷を付ける機能を有する塗装前処理用ナットブラシ器具であって、チャンネル内巻コイルブラシとブラシ収納部を有し、前記チャンネル内巻コイルブラシは、基材と前記基材から毛先が内側に向いているリング状のブラシと、を有し、前記ブラシ収納部は、蓋部と、前記蓋部と一体的に形成されている筒状の前記チャンネル内巻コイルブラシを収納する収納本体部と、前記蓋部の表面に設けられた棒状の電動工具接続部と、前記蓋部の裏側に設けられたボルトガイド部と、を有し、前記チャンネル内巻コイルブラシは、前記ブラシ収納部に嵌め込まれ、前記ブラシ収納部に固定部材で固定されるように形成されていることを特徴とする。
【０００６】
本考案に係る塗装前処理用ナットブラシ器具の態様について、前記固定部材は、螺子であり、前記ブラシ収納部に嵌め込まれ収納された前記チャンネル内巻コイルブラシは、前記螺子を用いて前記ブラシ収納部に前記固定されることが好ましい。
【０００７】
本考案に係る塗装前処理用ナットブラシ器具の態様について、電動工具が、前記電動工具接続部に取り付けられた状態で、前記ナットが、前記チャンネル内巻コイルブラシの前記毛先の部分に嵌め込まれ、前記電動工具を用いて、前記ブラシ収納部と前記チャンネル内巻コイルブラシを回転させることで、前記ナットの錆を取り、且つ、前記ナットに傷をつけることが好ましい。
【考案の効果】
【０００８】
本考案によれば、橋梁の固定部材として使用されているボルトとナットにおいて、橋梁の鉄鋼部材をボルトとナットで固定した後の処理として行われるナットの塗装処理の前に、塗装が効果的に行われるように、ナットの表面の錆取り作業及びナットの表面に傷を付ける作業を、より簡易に効果的に行うことができ、耐久性を有している塗装前処理用ナットブラシ器具を提供することができる。
【図面の簡単な説明】
【０００９】
【図１】実施形態の塗装前処理用ナットブラシ器具の一例を示す模式図である。
【図２】実施形態の塗装前処理用ナットブラシ器具を示す参考図である。
【図３】実施形態の塗装前処理用ナットブラシ器具の使用の一例を示す参考図である。
【考案を実施するための形態】
【００１０】
以下、本考案の塗装前処理用ナットブラシ器具の実施形態を、図１から図３を用いて説明する。図１（ａ）は、塗装前処理用ナットブラシ器具１００を上から見た模式図であり、図１（ｂ）は、図１（ａ）のＡ−Ａ線断面図である。図２（ａ）は、チャンネル内巻コイルブラシ１０の一例を示す参考図であり、図２（ｂ）は、ブラシ収納部２０の一例を示す参考図である。図３は、塗装前処理用ナットブラシ器具１００が使用されている一例を示す参考図である。
【００１１】
橋梁に用いられる鉄鋼部材は、ボルトＢとナットＮで固定された後に、ナットＮが塗装されることが一般的である。実施形態の塗装前処理用ナットブラシ器具１００は、上記のナットＮの塗装の処理の前に、簡易及び効率的にナットＮの表面の錆を取り、且つ、このナットＮの表面に、塗装を定着させるために傷を付けることができる機能を有するものである。
【００１２】
塗装前処理用ナットブラシ器具１００は、チャンネル内巻コイルブラシ１０とブラシ収納部２０を構成としている。
【００１３】
チャンネル内巻コイルブラシ１０は、基材１０ａと、基材１０ａから毛先が内側に向いているリング状のブラシ１０ｂとを有し、また、ブラシ収納部２０は、蓋部２０ａと、蓋部２０ａと一体的に形成されている筒状のチャンネル内巻コイルブラシを収納する収納本体部２０ｂと、蓋部２０ａの表面に設けられた棒状の電動工具接続部２０ｃと、蓋部の裏側に設けられたボルトガイド部２０ｄを有している。このボルトガイド部２０ｄは、例えばリング状で形成されている。
【００１４】
チャンネル内巻コイルブラシ１０は、ブラシ収納部２０に嵌め込まれ、そして、このブラシ収納部２０は、この例においては固定部材の一例である螺子３０で固定されるように形成されている。
【００１５】
このようにチャンネル内巻コイルブラシ１０がブラシ収納部２０に嵌め込まれ固定された状態の塗装前処理用ナットブラシ器具１００は、一般的に使用されている電動工具Ｄを用いて使用される。
【００１６】
すなわち、電動工具Ｄが、電動工具接続部２０ｃに取り付けられた状態で、ナットＮが、チャンネル内巻コイルブラシ１０のブラシ１０ｂの毛先の部分に嵌込まれ、この状態で、電動工具Ｄを用いてブラシ収納部２０とチャンネル内巻コイルブラシ１０を回転させることで、ブラシ１０ｂがナットＮの錆を取り、且つ、このナットＮに、塗装を定着させるために傷をつけることができる構成となっている。
【００１７】
上記のとおり塗装前処理用ナットブラシ器具１００は、チャンネル内巻コイルブラシ１０を収納することができるブラシ収納部２０を有することで、このブラシ収納部２０を電動工具Ｄで回転させ、そしてブラシ収納部２０に螺子３０で固定接続されたチャンネル内巻コイルブラシ１０を回転させ、ブラシ１０ｂが、ナットＮの表面の錆を削り、且つ、塗装が効果的に行われるように傷が形成されるという顕著な効果を有している。すなわち、従来の手作業のような塗装前処理に比べて電動工具Ｄと一体的にチャンネル内巻コイルブラシ１０を可動させることにより、処理能力という面でも数倍の効果を奏している。
【００１８】
以上、本考案の有する特徴及び優れた点を上記実施形態に記載したが、本考案は、本願の実用新案登録請求の範囲で使用されている言葉を広く一般的な意味に拡張して実施することができる。
【００１９】
また、本考案の塗装前処理用ナットブラシ器具は、大きさや形状、素材の種類、厚さ、重さなどについては多様な実施形態が可能であり、それらについて本実施形態と異なる形態による実施は、本考案の技術的範囲に含まれる。
【符号の説明】
【００２０】
１００    塗装前処理用ナットブラシ器具
１０      チャンネル内巻コイルブラシ
１０ａ    基材
１０ｂ    ブラシ
２０      ブラシ収納部
２０ａ    蓋部
２０ｂ    収納本体部
２０ｃ    電動工具接続部
２０ｄ    ボルトガイド部
３０      螺子
Ｄ        電動工具
Ｂ        ボルト
Ｎ        ナット
【図１】
0003217203.tif 000003
【図２】
0003217203.tif 000004
【図３】
0003217203.tif 000005